(57)【要約】【課題】  クラック発生後、確実にクラックを塞いで防水性能を確保でき、水の鉄筋への到達を防いで躯体強度の低下を確実に防止できると共に、低コストで施工できるクラック誘発構造を提供する。【解決手段】  長手方向に貫通する孔部１１が所定の側面で外部に連通する状態とされると共に、他の側面にコンクリートに対し密着性に優れた粘着材１３を配置されてなる略Ｔ字状断面形状の誘発部材１０を用い、打設後、コンクリート４０中に埋込んだ誘発部材１０と外面との間にクラック４１が誘発されて発生することから、クラック４１内に水分が浸入しても水分が誘発部材１０表面の粘着材１３に達したところで粘着材１３とコンクリート４０との境界部分に隙間が生じないことでそれ以上の進行を阻止されることとなり、水分が誘発部材１０周囲を進んで鉄筋３０に達することはなく、鉄筋３０の水分による劣化を抑えて躯体強度を長期間維持できる。【選択図】  図１
2006057411.tif 000002
【特許請求の範囲】
【請求項１】
コンクリート躯体内部の鉄筋近傍位置にコンクリート打設前に配置されるクラック誘発部材を少なくとも備え、コンクリートの打設から所定期間後のコンクリート硬化状態で前記クラック誘発部材とコンクリート躯体外面所定箇所との間にクラックを生じさせるクラック誘発構造において、
前記クラック誘発部材が、略Ｔ字状の横断面形状を有する細長い部材として形成され、横断面形状におけるＴ字をなす各辺の交差部位に部材長手方向へ貫通する孔部を穿設され、Ｔ字の上横辺にあたる平面状の側面に前記孔部と外部とを連通させる一又は複数の開口部を配設される一方、他の側面にコンクリートとの密着性に優れる所定の粘着性材を被覆配設されてなり、当該粘着材を被覆配設された側がコンクリート躯体の外面寄りとなる配置で前記鉄筋近傍に配設され、
前記クラック誘発部材の少なくとも一方の長手方向端部側でコンクリート躯体外部と前記孔部とを連通可能な状態としてコンクリートを打設した後、所定期間経過して生じたクラックに対し、コンクリート躯体外部から孔部内に液状の止水剤を注入し、孔部から前記開口部を通じてクラックに前記止水剤を充填することを
特徴とするクラック誘発構造。
【請求項２】
前記請求項１に記載のクラック誘発構造において、
前記クラック誘発部材が、長手方向一端部における前記孔部の入口部分を孔部径より大きく拡径させて所定深さまで穿設される一方、他端部側に前記所定深さの値より少なくとも小さく突出して前記拡径孔部分に挿入可能な凸部を突設されてなることを
特徴とするクラック誘発構造。
【請求項３】
前記請求項１又は２に記載のクラック誘発構造において、
前記クラック誘発部材の開口部が、前記側面で部材長手方向に所定長さ連続するスリット状の一又は複数の長孔であることを
特徴とするクラック誘発構造。
【請求項４】
前記請求項３に記載のクラック誘発構造において、
前記クラック誘発部材側面のスリット状開口部分が、少なくとも前記止水剤は通過させる一方、未硬化のコンクリート材料は通過させない所定開口率のメッシュ状シートで覆われることを
特徴とするクラック誘発構造。
【請求項５】
前記請求項１ないし４のいずれかに記載のクラック誘発構造において、
略円断面形状の細長い部材として形成される内部クラック誘発体が、前記クラック誘発部材及び鉄筋に挟まれたコンクリート躯体略中央となる所定箇所に、長手方向をクラック誘発部材と略平行としてコンクリート打設前に配設されることを
特徴とするクラック誘発構造。
【発明の詳細な説明】
【技術分野】
【０００１】
本発明は打設後のコンクリート躯体におけるあらかじめ想定した箇所のみにクラックを適切に生じさせて他の箇所でのクラック発生を防ぐコンクリート躯体のクラック誘発構造に関し、特に誘発部材に対する適切な後処理により防水性能を向上させられるクラック誘発構造に関する。
【背景技術】
【０００２】
鉄筋コンクリート構造物の躯体表面では、打設したコンクリートの硬化収縮によるクラック発生が避けられないが、このクラックが任意の多数箇所に発生すると、美観を損なうだけでなく、水分の浸入による内部鉄筋の腐食・劣化につながり、躯体強度の低下を招くおそれがある。これらを防止するため、コンクリート躯体の所定箇所にクラック誘発目地や誘発構造を形成して断面形状を他部分と異ならせ、こうした部分への応力集中によりクラックを積極的に集中発生させ、他の部位に無秩序にクラックが多数発生するのを防止し、クラックへの防水工事を容易化する手法が従来から採られてきた。
【０００３】
このようなあらかじめ想定した箇所に適切に管理された状態で積極的にクラックを生じさせるクラックの誘発目地や誘発構造のうち、コンクリート内部に鉄筋と共に埋込まれるクラック誘発部材によりクラックを誘発させる従来のクラック誘発構造の一例として、特開平１１−２６４２００号公報に記載されるものがあり、これを図６に示す。この図６は従来のクラック誘発構造の施工状態断面図及びクラック誘発状態断面図である。
【０００４】
前記図６において従来のクラック誘発構造で用いるクラック誘発部材１００は、排水路１１０となる空隙を挟む断面略コ字形状の樋状体であり、開口両端には所定長さの対向片１０１が設けられてなり、これら排水路１１０を取囲む部分や対向片１０１の外側は、耐久性や耐ひび割れ性等に優れた所定の弾性材からなる止水材１０２で被覆され、さらにその外側主要部分を、コンクリートとの付着性のよい他の止水材１０３で被覆される構成である。
【０００５】
上記従来のクラック誘発部材の鉄筋への取付及びクラックを生じさせる過程について説明する。まず、壁筋１２０の配筋後、排水路１１０の開口が壁外方に向くように配置しつつクラック誘発部材１００を壁筋１２０に固定する。一方、型枠１３０には、Ｌ型断面部材等のノッチ形成部材１３１が取り付けられ、その先端が型枠１３０からその内方に突出した状態とされる。この後、型枠１３０内にコンクリートが打設されるが、クラック誘発部材１００における対向片１０１間の空隙部分へのコンクリートの流入はない。コンクリート硬化後、型枠１３０を解体し、ノッチ形成部材１３１を撤去すれば、コンクリート２００の表側にノッチ形成部材１３１によりノッチが形成され、クラック誘発部材１００がコンクリート２００内部に埋設された状態が得られる。
【０００６】
コンクリート２００が硬化収縮すると、対向片１０１間の空隙部分前面側におけるコンクリート厚さが薄いことから、その外側のノッチ２０１からクラック２０２が誘発されて形成され、このクラック２０２は対向片１０１間の空隙に至り、クラック２０２と排水路１１０は連通した状態となる。クラック２０２に雨水などの水が浸入した場合、水は対向片１０１間の空隙を通って排水路１１０に流れこみ、ここを落下して、例えば建物の一階の水平目地などに設けたパイプに流れ、外部に排水される。クラック誘発部材１００の周囲は開口以外の部分が止水材１０２、１０３で被覆されており、クラック２０２からの水が排水路１１０以外に流れるのを阻止できる。
この他、従来のクラック誘発構造の他例として、特許第２８６８９９４号公報に記載されるものがあり、これを図７に示す。この図７は従来の他のクラック誘発構造の断面図である。
【０００７】
前記図７において従来の他のクラック誘発構造で用いるクラック誘発部材３００は、横断面形状が三角形の山形に突出する突出部分３０１ａ並びにこの突出部分３０１ａの両側で延在する平板形状のフランジ部分３０１ｂからなる芯材３０１と、高分子材料製の粘着層３０２とを備える構成であり、コンクリート製の構造体４００表面に設けられる溝４１０と構造用鉄筋４２０との間に、突出部分３０１ａを溝４１０に対向させつつ配設されるものとなっている。
【０００８】
上記従来の他のクラック誘発構造では、まず、構造用鉄筋４２０に対し、突出部分３０１ａが構造体外方に向くように配置しつつクラック誘発部材３００を固定する。必要に応じて、構造用鉄筋４２０の内側に内側クラック誘発部材３１０を配設する。この後、構造用鉄筋４２０及びクラック誘発部材３００を取囲む型枠内にコンクリートが打設され、このコンクリートの硬化により、クラック誘発部材３００が構造体４００内部に埋設された状態が得られる。一方、型枠の一部で内方に突出していた部材により、構造体４００の表側には溝４１０が形成されている。
【０００９】
コンクリートが硬化収縮すると、溝４１０とクラック誘発部材３００の突出部分３０１ａとの間にクラックが発生する。このクラックから外気及び水が浸入しても、クラック誘発部材３００の粘着層３０２がコンクリートに対し密着しており、外気及び水が粘着層３０２とコンクリートとの界面で阻止され、構造用鉄筋４２０が外気及び水にさらされない。
【特許文献１】特開平１１−２６４２００号公報
【特許文献２】特許第２８６８９９４号公報
【発明の開示】
【発明が解決しようとする課題】
【００１０】
従来のクラック誘発構造は以上のように構成されていたことから、前記特許文献１に記載される従来前者の場合、クラック２００に浸入した水を外部に流出させるための排水設備が必要となり、しかもこうした設備はコンクリート躯体内部への埋込み型となることから、メンテナンスが困難であり、設備が劣化した場合の漏水等の危険が大きいだけでなく、クラック誘発部材１００に沿って水を流している以上、水によるクラック誘発部材１００の劣化は進行していくことから、最終的にクラック誘発部材１００の破損に至ると浸水が鉄筋に達するのを防止できなくなり、鉄筋の劣化に伴う躯体強度低下が避けられないという課題を有していた。
【００１１】
この他、排水路が高さ方向に過度に連続すると、下側で排水能力が飽和してクラック２００を通じて外部に水が漏れてしまう危険性があるため、所定高さごとに排水設備を設ける必要が生じ、コスト増大につながってしまうという課題を有していた。
【００１２】
また、前記特許文献２に記載される従来後者の場合、構造体４００表面側の止水はクラック誘発部材３００表面で確実に行えるものの、構造体４００の厚さが大きい場合、構造用鉄筋４２０の内側に配置される内側クラック誘発部材３１０では当初想定した箇所に適切にクラックを生じさせることができなくなり、不規則に発生したクラックに伴って構造体内側部分の止水が適切に行えなくなるという課題を有していた。
【００１３】
本発明は前記課題を解消するためになされたもので、クラック発生後、確実にクラックを塞いで防水性能を確保でき、水の鉄筋への到達を防いで躯体強度の低下を確実に防止できると共に、低コストで施工できるコンクリート躯体のクラック誘発構造を提供することを目的とする。
【課題を解決するための手段】
【００１４】
本発明に係るクラック誘発構造は、コンクリート躯体内部の鉄筋近傍位置にコンクリート打設前に配置されるクラック誘発部材を少なくとも備え、コンクリートの打設から所定期間後のコンクリート硬化状態で前記クラック誘発部材とコンクリート躯体外面所定箇所との間にクラックを生じさせるクラック誘発構造において、前記クラック誘発部材が、略Ｔ字状の横断面形状を有する細長い部材として形成され、横断面形状におけるＴ字をなす各辺の交差部位に部材長手方向へ貫通する孔部を穿設され、Ｔ字の上横辺にあたる平面状の側面に前記孔部と外部とを連通させる一又は複数の開口部を配設される一方、他の側面にコンクリートとの密着性に優れる所定の粘着性材を被覆配設されてなり、当該粘着材を被覆配設された側がコンクリート躯体の外面寄りとなる配置で前記鉄筋近傍に配設され、前記クラック誘発部材の少なくとも一方の長手方向端部側でコンクリート躯体外部と前記孔部とを連通可能な状態としてコンクリートを打設した後、所定期間経過して生じたクラックに対し、コンクリート躯体外部から孔部内に液状の止水剤を注入し、孔部から前記開口部を通じてクラックに前記止水剤を充填するものである。
【００１５】
このように本発明においては、長手方向に貫通する孔部が所定の側面で外部に連通する状態とされると共に、他の側面にコンクリートに対し密着性に優れた粘着材を配置されてなる略Ｔ字状断面形状のクラック誘発部材を用い、打設後、コンクリート中に埋込んだクラック誘発部材と外面との間にクラックが誘発されて発生することにより、クラック内に水分が浸入しても水分がクラック誘発部材表面の粘着材に達したところで粘着材とコンクリートとの境界部分に隙間が生じないことでそれ以上の進行を阻止されることとなり、水分がクラック誘発部材周囲を進んで鉄筋に達することはなく、鉄筋の水分による劣化を抑えて躯体強度を長期間維持できる。また、コンクリート硬化後、クラック誘発部材の長手方向に貫通する孔部及びこの孔部側方の開口部を通じてクラック誘発部材と鉄筋間に生じたクラックに止水剤を注入することにより、止水剤がクラックへ到達して、こうした漏水の原因となるクラックを充填、密閉してクラックを水分の浸入しない止水状態とすることができ、粘着材のない躯体内部側でもクラック誘発部材周囲で確実な防水機能が得られ、鉄筋への水分到達を防止できる。
【００１６】
また、本発明に係るクラック誘発構造は必要に応じて、前記クラック誘発部材が、長手方向一端部における前記孔部の入口部分を孔部径より大きく拡径させて所定深さまで穿設される一方、他端部側に前記所定深さの値より少なくとも小さく突出して前記拡径孔部分に挿入可能な凸部を突設されてなるものである。
【００１７】
このように本発明においては、誘発部材の長手方向一端部で孔部入口部分が拡径された凹部とされる一方、誘発部材の他端部にはこの凹部と嵌合可能な凸部を形成することにより、長手方向一端部で孔部に躯体外部と連通させるための管類を接続しやすく、孔部に対する止水剤注入作業が行いやすいと共に、誘発部材を長手方向に継足す場合には凹凸をそれそれ嵌合させて確実に連結できることとなり、誘発部材が一体構造の場合と同様の強度を確保して複数連結状態においても孔部の連通状態を確保でき、下方まで止水剤を到達させて止水施工が行える。
【００１８】
また、本発明に係るクラック誘発構造は必要に応じて、前記クラック誘発部材の開口部が、前記側面で部材長手方向に所定長さ連続するスリット状の一又は複数の長孔であるものである。
このように本発明においては、クラック誘発部材における止水剤の流出する開口部として長手方向へ連続するスリット状の長孔を形成し、止水剤を長手方向の広い範囲でクラック誘発部材外部に流出させられることにより、クラック誘発部材周囲に生じたクラックに確実に止水剤を送込んで封止できると共に、クラック誘発部材の横断面が長手方向に略一定形状となる簡略な構造とすることができ、特に長孔が長手方向に一つのみの場合、クラック誘発部材を押出し加工で形成でき、製造しやすくコストダウンが実現する。
【００１９】
また、本発明に係るクラック誘発構造は必要に応じて、前記クラック誘発部材側面のスリット状開口部分が、少なくとも前記止水剤は通過させる一方、未硬化のコンクリート材料は通過させない所定開口率のメッシュ状シートで覆われるものである。
このように本発明においては、スリット状の開口部前面にコンクリート材を通さないメッシュ状のシートを配設し、クラック誘発部材周囲のコンクリート材の孔部内への侵入を抑えることにより、孔部をコンクリート打設後も止水剤の流動可能な状態に維持でき、止水剤の流路を確保してコンクリート硬化後の止水施工が確実に行えることとなる。
【００２０】
また、本発明に係るクラック誘発構造は必要に応じて、略円断面形状の細長い部材として形成される内部クラック誘発体が、前記クラック誘発部材及び鉄筋に挟まれたコンクリート躯体略中央となる所定箇所に、長手方向をクラック誘発部材と略平行としてコンクリート打設前に配設されるものである。
【００２１】
このように本発明においては、コンクリート躯体略中央となる箇所に略円断面の内部クラック誘発体を配設し、躯体中央部分に十分な断面欠損部分を確保してクラックの起点部を生じさせることにより、コンクリート躯体の内部におけるクラック誘発部材間の想定箇所に適切にクラックを発生させられ、クラックが不規則に発生するのを防止できると共に、誘発部材側からクラックに止水剤を確実に到達させられ、躯体内部の止水が適切に行える。
【発明を実施するための最良の形態】
【００２２】
以下、本発明の一実施の形態を図１〜図３に基づいて説明する。図１は本実施の形態に係るクラック誘発構造の施工状態状態断面図及び要部拡大図、図２は本実施の形態に係るクラック誘発構造における誘発部材の斜視図及び一部省略背面図、図３は本実施の形態に係るクラック誘発構造のクラック誘発状態断面図である。
【００２３】
前記各図において本実施形態に係るクラック誘発構造１は、鉄筋３０に一体に取付けられ、打設されるコンクリート中に埋込まれる所定断面形状のクラック誘発部材１０を備えてなり、一対のクラック誘発部材１０を鉄筋３０の両側に鉄筋３０を挟んだ状態として配設し、硬化させたコンクリート４０にクラック４１を生じさせる構成である。
【００２４】
前記クラック誘発部材１０は、アルミニウム等の金属又は合成樹脂製の略Ｔ字状の断面形状を有する細長い形状の部材として形成され、横断面形状におけるＴ字をなす各辺の交差部位に部材長手方向へ貫通する孔部１１が穿設されると共に、Ｔ字の上横辺にあたる平面状の側面における孔部１１の側方部分に、孔部１１と外部とを連通させる前記開口部としてのスリット状長孔１２が長手方向に連続する状態で穿設される構成である。このクラック誘発部材１０の長孔１２のある側面を除く他の側面には、その表面にブチルゴム等のコンクリートとの密着性に優れる粘着材１３が被覆配設される構成である。一方、長孔１２の正面側には、所定開口率とされるメッシュ状のシート１４が配設されてクラック誘発部材１０内部の孔部１１からの止水剤の流出は許容する一方で硬化前のコンクリート材料の孔部１１への浸入は阻止する。
【００２５】
なお、クラック誘発部材１０の孔部１１一端部分には入口部分として拡径された凹部１５が穿設されており、止水剤を注入するためのホース類の端部を接続しやすく、止水剤注入作業が行いやすい構成である。
このクラック誘発部材１０は、コンクリート躯体の上側で部材一端部の孔部１１開口と躯体外部とを連通可能とし、且つ粘着材１３を配設される側、すなわち、断面形状でＴ字の下縦辺にあたる突出部分側を躯体外面寄りとなるような配置で鉄筋３０近傍に配設される。
【００２６】
クラック誘発部材１０の内部の孔部１１には、コンクリートの打設、硬化後、外部から所定の止水剤が供給され、この止水剤を長孔１２を介してクラック誘発部材１０の周辺のコンクリート４０に生じたクラック４１に流入させる。この孔部１１に供給される止水剤は、コロイド状のシリカを含む公知の浸透性シリカ水溶液であり、超微粒子構造を有してコロイド状となっている溶液中のシリカが、コンクリート４０内部のクラック４１に浸透し、クラック４１周囲のコンクリート４０を構成するアルカリ物質や水和物質と反応して安定した不変性のシリカゲルを生じさせ、このシリカゲルでクラック４１を充填状態として止水を行う仕組みとなっている。
【００２７】
なお、こうしたクラック誘発部材１０と共に、コンクリート躯体内部の、一対のクラック誘発部材１０並びに鉄筋３０に挟まれた躯体中央にあたる箇所には、円筒状の内部クラック誘発体２０がその長手方向をクラック誘発部材１０と一致させて配設される。
【００２８】
次に、前記構成に基づくクラック誘発構造における誘発部材の配置作業及びクラック発生及び止水過程について説明する。まず、所定の位置にあらかじめ配設固定されている鉄筋３０に対し、クラック誘発部材１０をその断面形でＴ字の上横辺にあたる部分となる平面状部分が鉄筋３０側に向かうと共に、Ｔ字の下縦辺にあたる部分となる前記平面状部分からの突出部分が躯体外面の誘発目地５０位置に向かう配置として鉄筋３０の両側にそれぞれ配設し、取付用鉄筋１６を介してワイヤによる緊結等により鉄筋３０とクラック誘発部材１０とを一体に固定しておく。そして、型枠をなす各部材をコンクリート打設に対応した設置位置に配設し、型枠６０として固定する。なお、型枠６０には、必要に応じて誘発目地５０形成用の突出材６１を配設することができる。また、躯体の厚さが大であり、断面欠損量を確保したい場合などは、必要に応じて、一対のクラック誘発部材１０に挟まれた中間の、鉄筋３０に囲まれた躯体中央にあたる箇所に、円筒状の内部クラック誘発体２０を配設して固定する（図１参照）。
【００２９】
鉄筋３０の周囲にクラック誘発部材１０及び型枠６０を全て配設したら、型枠６０内のクラック誘発部材１０、鉄筋３０及び内部クラック誘発体２０周囲にコンクリートを打設していく。コンクリートが打設され、適度に硬化した後、型枠６０をなす各部材を取外し、さらに所定期間放置する。
【００３０】
打設から所定期間経過した後、コンクリートの硬化に伴う収縮等によりコンクリート４０内にクラック４１が発生する。クラック４１は断面欠損部分としてあらかじめ想定していたクラック誘発部材１０の突出部分先端と躯体外面の誘発目地５０との間、並びに躯体内側の対向する各誘発部材１０と内部クラック誘発体２０間の、最もコンクリート４０厚さの薄い箇所に生じ、コンクリート４０の他の部位に多数のクラック４１が無秩序に生じることを確実に防止できる。クラック誘発部材１０に挟まれた躯体内部では、鉄筋３０の周囲にクラック４１による空隙が一部生じた状態となっている。
【００３１】
クラック誘発部材１０は突出部分側の各表面にコンクリート４０に対し密着性に優れた粘着材１３を配置されており、粘着材１３とコンクリート４０との境界部分に隙間が生じないことから、クラック誘発部材１０の突出部分先端と躯体外面との間に生じたクラック４１内に水分が浸入しても水分がクラック誘発部材１０表面の粘着材１３に達したところでそれ以上の進行を阻止されることとなり、水分がクラック誘発部材１０を越えて鉄筋３０に達することはない。また、躯体外面の誘発目地５０部分も通常埋められた状態とされるため、外部の水分が躯体内に入り込む危険性は極めて小さい。
【００３２】
一方、硬化後のクラック４１発生状態で、クラック誘発部材１０端部の躯体外部と連通している孔部１１の入口部分に止水剤の注入用ホースを接続し、孔部１１に対し止水剤を供給する。止水剤は孔部１１から長孔１２を通じてコンクリート４０側へ拡散し、この止水剤は長孔１２からコンクリート４０内部のクラック４１やクラック誘発部材１０と鉄筋３０間に生じている空隙へ流入することとなる。こうしたクラック４１等へ到達した止水剤中の浸透性シリカは、これらクラック４１周囲のコンクリート４０を構成するアルカリ物質、水和物質に反応して不変性のシリカゲル４５を生じることにより、こうした水分の通り道となり得るクラック４１等の空隙を充填、密閉することができ、確実な防水機能が得られる。
【００３３】
止水剤を十分に注入した後は、注入用ホースを外して孔部１１を封止すれば、躯体内部に水分の入り込む余地はなくなり、これと合わせて、誘発目地５０を所定のシール材でシールし、且つ内部クラック誘発体２０内の中空部分にモルタルを充填し硬化させると、止水施工は全て完了となる。
【００３４】
このように本実施の形態に係るクラック誘発構造においては、長手方向に貫通する孔部１１が側面で外部に連通する状態とされると共に、他の側面にコンクリートに対し密着性に優れた粘着材１３を配置されてなる略Ｔ字状断面形状の誘発部材１０を用い、打設後、コンクリート４０中に埋込んだクラック誘発部材１０と外面との間にクラック４１が誘発されて発生することから、クラック４１内に水分が浸入しても水分がクラック誘発部材１０表面の粘着材１３に達したところで粘着材１３とコンクリート４０との境界部分に隙間が生じないことでそれ以上の進行を阻止されることとなり、水分がクラック誘発部材１０周囲を進んで鉄筋３０に達することはなく、鉄筋３０の水分による劣化を抑えて躯体強度を長期間維持できる。また、コンクリート硬化後、クラック誘発部材１０の孔部１１及びその側方の長孔１２を通じて誘発部材１０と鉄筋３０間に生じたクラック４１に止水剤を注入することから、止水剤がクラック４１へ到達してクラックを充填、密閉し、漏水の原因となるクラック４１を水分の浸入しない止水状態とすることができ、粘着材１３のない躯体内部側でもクラック誘発部材１０周囲で確実な防水機能が得られ、鉄筋３０への水分到達を防止できる。
【００３５】
なお、前記実施の形態に係るクラック誘発構造においては、コンクリートの打設形態に対応して変る型枠６０の高さと、略一致する一連の長いクラック誘発部材１０を用いる構成としているが、これに限らず、型枠６０の高さより短いクラック誘発部材１０を長手方向に複数継足して用いる構成とすることもできる。この時、図４に示すように、孔部１１入口部分の凹部１５に対応して嵌合可能な形状となる凸部１７をクラック誘発部材１０他端部に形成し、凹凸を組合わせて一体化させることもでき、凹凸をそれそれ嵌合させて確実に連結できることとなり、一体の場合と同様の強度を確保して連結状態においても孔部１１の連通状態を確保でき、下方まで止水剤を到達させて止水施工が行え、どのような寸法のコンクリート躯体にも対応できる。
【００３６】
また、前記実施の形態に係るクラック誘発構造においては、止水剤の流出する開口部として長孔１２を設ける構成としているが、これに限らず、図５に示すように、開口部としてクラック誘発部材１０の長手方向に所定間隔で孔部１１に連通する複数の小孔１８を穿設し、止水剤の流出部分として用いる構成とすることもできる。
【００３７】
また、前記実施の形態に係るクラック誘発構造においては、止水剤としてシリカ水溶液を用いる構成としているが、これに限らず、十分な充填、止水性能を有するものであれば、合成樹脂をベースとするものなど、他の種類の止水剤を用いる構成とすることもできる。
【００３８】
さらに、前記実施の形態に係るクラック誘発構造においては、長孔１２外側にメッシュ状のシート１４を配設してコンクリート材の浸入を防いでいるが、これに限らず、クラック誘発部材１０の長孔１２を長手方向連続状態で一つ形成し、この長孔１２の両側部分に圧力を加え、クラック誘発部材１０を変形させて長孔１２の開口部分を狭めた状態としたり、長孔両側部分を一部圧着させて長孔１２の開口部分を一部を残し閉塞させた状態としたりして、コンクリート材を長孔１２から孔部１１内に浸入させない構成とすることもでき、シート１４を不要としてコストダウンが図れる。
【図面の簡単な説明】
【００３９】
【図１】本発明の一実施の形態に係るクラック誘発構造の施工状態状態断面図及び要部拡大図である。
【図２】本発明の一実施の形態に係るクラック誘発構造における誘発部材の斜視図及び一部省略背面図である。
【図３】本発明の一実施の形態に係るクラック誘発構造のクラック誘発状態断面図である。
【図４】本発明の他の実施形態に係るクラック誘発構造における誘発部材端部の斜視図及び背面図である。
【図５】本発明の他の実施形態に係るクラック誘発構造における誘発部材の一部省略背面図である。
【図６】従来のクラック誘発構造の施工状態断面図及びクラック誘発状態断面図である。
【図７】従来の他のクラック誘発構造の断面図である。
【符号の説明】
【００４０】
１                クラック誘発構造
１０、１００      クラック誘発部材
１１              孔部
１２              長孔
１３              粘着材
１４              シート
１５              凹部
１６              取付用鉄筋
１７              凸部
１８              小孔
２０              内部クラック誘発体
３０              鉄筋
４０、２００      コンクリート
４１、２０２      クラック
５０              誘発目地
６０、１３０      型枠
６１              突出材
１０１            対向片
１０２、１０３    止水材
１１０            排水路
１２０            壁筋
１３１            ノッチ形成部材
２０１            ノッチ
３００            クラック誘発部材
３０１            芯材
３０１ａ          突出部分
３０１ｂ          フランジ部分
３０２            粘着層
３１０            内側クラック誘発部材
４００            構造体
４１０            溝
４２０            構造用鉄筋
【図１】
2006057411.tif 000003
【図２】
2006057411.tif 000004
【図３】
2006057411.tif 000005
【図４】
2006057411.tif 000006
【図５】
2006057411.tif 000007
【図６】
2006057411.tif 000008
【図７】
2006057411.tif 000009